(57)【要約】      （修正有）【課題】回路基板を係止する係止爪の折り曲げ加工が容易であり、回路基板のガタツキを抑制可能な電源装置およびこの電源装置を具備する照明器具を提供する。【解決手段】電源装置１は、回路基板２と、底板部５、底板部５の長手方向の両側に形成された一対の立上部６，６、回路基板２の一方の面２ａを係止する突出部８および一対の立上部６，６の長手方向に沿うとともに先端部が互いに向き合うようにかつ下端面が根元部から先端部に向かうにつれ底板部５から直線的に離間して一対の立上部６，６の長手方向で傾斜するようにして一対の立上部６，６の内側に折り曲げ可能に設けられ、下端面に回路基板２の他方の面２ｂの縁部が当接可能に折り曲げられた係止爪９を有するケース３とを具備している。【選択図】図１
2011096887.tif 000002
【特許請求の範囲】
【請求項１】
回路部品が実装された矩形状の回路基板と；  矩形状の底板部、この底板部の長手方向に沿う両側に互いの内面が対向するように形成された一対の立上部、この一対の立上部の長手方向のそれぞれの両端側にそれぞれ前記一対の立上部の内側に突出するように設けられ前記回路基板の一方の面を係止する突出部および前記一対の立上部の長手方向のそれぞれの両端側にそれぞれ前記一対の立上部の長手方向に沿うとともに先端部が互いに向き合うようにかつ下端面が根元部から先端部に向かうにつれ前記底板部から直線的に離間して前記一対の立上部の長手方向で傾斜するようにして前記一対の立上部の内側に折り曲げ可能に設けられ、前記下端面に前記回路基板の他方の面の縁部が当接可能に折り曲げられた係止爪を有するケースと；を具備していることを特徴とする電源装置。
【請求項２】
前記係止爪は、その先端部の外面が前記立上部の外面よりも０．３ｍｍ以上前記一対の立上部の内側となるように折り曲げられ、その下端面が前記回路基板の他方の面の縁部を削って当接することを特徴とする請求項１記載の電源装置。
【請求項３】
請求項１または２記載の電源装置と；  この電源装置により点灯される照明負荷と；  この照明負荷を配設している器具本体と；を具備していることを特徴とする照明器具。
【発明の詳細な説明】
【技術分野】
【０００１】
本発明は、回路部品が実装された回路基板を有する電源装置およびこの電源装置を具備する照明器具に関する。
【背景技術】
【０００２】
蛍光ランプを高周波点灯する放電ランプ用点灯装置などの電源装置には、回路部品が回路基板に実装されて、その回路基板がケースに収納されているものがある。そして、当該回路基板は、例えばケースに設けた係止爪や係止片などにより支持、係止されているものがある。ここで、プリント基板（回路基板）を固定するとともに、その位置決めを可能としたプリント基板の固定構造が提案されている（特許文献１参照。）。  
【０００３】
この従来技術のプリント基板の固定構造は、プリント基板をケースに固定する固定用のテーパ付つめと、プリント基板に設けられたＶ溝とが嵌合するものであり、テーパ付つめを内側へ折り曲げることにより、プリント基板を押え付けて固定できるとともに、その位置決めができるというものである。
【先行技術文献】
【特許文献】
【０００４】
【特許文献１】特開平２−９７０９５号公報（第２頁、第１図）
【発明の概要】
【発明が解決しようとする課題】
【０００５】
上記プリント基板の固定構造は、プリント基板に位置決め用のＶ溝を設けるので、プリント基板が高価になるという欠点を有する。また、テーパ付つめは、テーパ状の下端面がプリント基板との隙間が零となるように、すなわちプリント基板に当接するように折り曲げられるので、その折曲作業に時間を要し、複数個のテーパ付つめを折り曲げるとなると、さらに作業時間が多くなる。また、当該折り曲げを自動で行うには、折り曲げる角度の高精度な管理が要求される。  
【０００６】
また、特許文献１の従来技術の欄にも記載されているように、プリント基板をケースから突出させた突起と折り曲げたつめにより固定させる構造は、プリント基板とつめとの間に隙間が形成されやすく、プリント基板が振動したときにガタツクという欠点を有する。  
【０００７】
本発明は、回路基板を係止する係止爪の折り曲げ加工が容易であり、回路基板のガタツキを抑制可能な電源装置およびこの電源装置を具備する照明器具を提供することを目的とする。
【課題を解決するための手段】
【０００８】
請求項１に記載の電源装置の発明は、回路部品が実装された矩形状の回路基板と；矩形状の底板部、この底板部の長手方向に沿う両側に互いの内面が対向するように形成された一対の立上部、この一対の立上部の長手方向のそれぞれの両端側にそれぞれ前記一対の立上部の内側に突出するように設けられ前記回路基板の一方の面を係止する突出部および前記一対の立上部の長手方向のそれぞれの両端側にそれぞれ前記一対の立上部の長手方向に沿うとともに先端部が互いに向き合うようにかつ下端面が根元部から先端部に向かうにつれ前記底板部から直線的に離間して前記一対の立上部の長手方向で傾斜するようにして前記一対の立上部の内側に折り曲げ可能に設けられ、前記下端面に前記回路基板の他方の面の縁部が当接可能に折り曲げられた係止爪を有するケースと；を具備していることを特徴とする。  
【０００９】
本発明および以下の各発明において、特に言及しない限り、各構成は以下による。  
【００１０】
突出部および係止爪は、立上部の長手方向と直交する方向（立上方向）において、互いに正対するように形成されていてもよく、正対しないように形成されていてもよいが、前者に形成されるのが好ましい。  
【００１１】
係止爪の根元部は、係止爪を折り曲げる軸部分を意味し、先端部は、根元部と反対側の開放端側の部位を意味する。  
【００１２】
「係止爪の下端面」とは、ケースの底板部を例えば地上面に置いたときの地上面に対する鉛直方向の下側の端面を意味する。  
【００１３】
「係止爪が一対の立上部の長手方向に沿うように形成される」とは、係止爪がケースの底板部に平行に形成されることを意味する。  
【００１４】
係止爪は、一対の立上部のそれぞれの両端側（一端側および他端側）に形成される（４個形成される）他、さらに一端側および他端側の中間に１個または複数個形成されてもよい。この場合、中間の係止爪においても、先端部同士が互いに向き合うように形成されるのが好ましい。  
【００１５】
突出部は、一対の立上部の外側から内側に折り曲げられる爪であってもよい。  
【００１６】
本発明によれば、ケースが振動したときに回路基板が立上部側に振れると、先端部が互いに対向している係止爪の少なくとも一方と、当該係止爪に対応した突出部との間において、回路基板の他方の面の縁部が係止爪の下端面に当接した状態で食い込む。係止爪は、その先端部が互いに向き合うように設けられているので、回路基板に対して互いに押し合うように作用する。また、係止爪は、一対の立上部の両端側にそれぞれ設けられているので、回路基板は、どの方向に振れても係止爪の下端面に食い込む。回路基板は、食い込んだ係止爪および突出部の間に固定され、ケースの振動に応動したガタツキが抑制される。  
【００１７】
請求項２に記載の電源装置の発明は、請求項１記載の電源装置の発明において、前記係止爪は、その先端部の外面が前記立上部の外面よりも０．３ｍｍ以上前記一対の立上部の内側となるように折り曲げられ、その下端面が前記回路基板の他方の面の縁部を削って当接することを特徴とする。  
【００１８】
０．３ｍｍ以上の上限値は、係止爪が立上部に対して直角に折り曲げられたときの立上部の外面と係止爪の先端部との距離であり、係止爪の根元部および先端部の全長である。  
【００１９】
本発明によれば、係止爪の先端部の外面がケースの立上部の外面よりも０．３ｍｍ以上一対の立上部の内側となるように係止爪が折り曲げられることにより、係止爪の下端面が回路基板の他方の面の縁部を削って当接するので、一対の立上部間において、突出部および係止爪により強固に支持、係止される。  
【００２０】
請求項３に記載の照明器具の発明は、請求項１または２記載の電源装置と；この電源装置により点灯される照明負荷と；この照明負荷を配設している器具本体と；を具備していることを特徴とする。  
【００２１】
電源装置は、器具本体に配設されていてもよく、器具本体と別体に設けられていてもよい。  
【００２２】
照明負荷は、発光ダイオード（ＬＥＤ）や有機エレクトロルミネッセンス（ＥＬ）素子などの面発光素子、蛍光ランプ等の放電ランプなど、電源装置により点灯されて照明光を放射するものであればよい。  
【００２３】
本発明によれば、請求項１または２記載の電源装置によって点灯制御される照明負荷を具備する照明器具が提供される。
【発明の効果】
【００２４】
請求項１の発明によれば、各係止爪は、その下端面がケースの一対の立上部の長手方向で傾斜し、その先端部が互いに向き合うようにして設けられていることにより、互いに向き合う係止爪が回路基板に対して互いに押し合うように作用するので、ケースが振動したときに回路基板が係止爪および突出部の間に食い込んで固定され、ケースの振動に応動した回路基板のガタツキを抑制することができるとともに、突出部および係止爪の簡易な構成で回路基板をケースの一対の立上部間に支持、係止することができる。  
【００２５】
請求項２の発明によれば、係止爪を、その先端部の外面がケースの立上部の外面よりも０．３ｍｍ以上一対の立上部の内側となるように折り曲げることにより、その下端面が回路基板の他方の面の縁部を削って当接し、回路基板が突出部および係止爪により強固に支持、係止されるので、突出部および係止爪の簡易な構成で回路基板をケースの一対の立上部間に支持、係止することができるとともに、ケースに振動が加わっても回路基板が取り外れることを防止することができる。  
【００２６】
請求項３の発明によれば、請求項１または２記載の電源装置によって点灯制御される照明負荷を具備する照明器具を提供することができる。
【図面の簡単な説明】
【００２７】
【図１】本発明の実施例１を示す電源装置であり、（ａ）は概略縦断面図、（ｂ）は概略横断面図。
【図２】同じく、電源装置の分解概略側面図。
【図３】同じく、電源装置を示し、（ａ）は係止爪が回路基板を係止している状態の概略部分断面図、（ｂ）は係止爪が回路基板を削って係止している状態の概略部分断面図。
【図４】同じく、他の電源装置の概略側面図。
【図５】本発明の実施例２を示す照明器具の概略横断面図。
【発明を実施するための形態】
【００２８】
以下、本発明の一実施の形態について、図面を参照して説明する。  
【００２９】
本発明において、回路基板は、ケースの一対の立上部間に配設され、一対の立上部の長手方向の両端側にそれぞれ設けられた突出部および係止爪により支持、係止される。係止爪は、その下端面がケースの立上部の長手方向で傾斜し、その先端部が向き合うように設けられている。ケースに振動が加わって回路基板がケースの立上部側に振れたときに、回路基板の縁部が係止爪の下端面に食い込む。これにより、回路基板は、係止爪および突出部により強固に固定され、ケースに加わった振動に応動したガタツキが抑制されるものである。
【実施例１】
【００３０】
図１ないし図４は、本発明の実施例１を示し、図１は電源装置であり、（ａ）は概略縦断面図、（ｂ）は概略横断面図、図２は電源装置の分解概略側面図、図３は電源装置を示し、（ａ）は係止爪が回路基板を係止している状態の概略部分断面図、（ｂ）は係止爪が回路基板を削って係止している状態の概略部分断面図、図４は他の電源装置の概略側面図である。  
【００３１】
図２において、電源装置１は、例えば発光ダイオードや放電ランプを点灯する点灯装置であり、回路基板２およびケース３を有して構成されている。  
【００３２】
回路基板２は、矩形状である長方形状の例えばガラスエポキシ材や紙フェノール材などからなり、回路部品４を実装している。すなわち、一方の面（下面）２ａにチップ部品であるトランジスタＱ１，Ｑ２を実装し、他方の面(上面)２ｂにディスクリート部品であるコンデンサＣ１、背の低いコンデンサＣ２、抵抗Ｒ１〜Ｒ３、ダイオードＤ１、トランスＴ１、ＩＣ素子ＩＣ１や図示しないインダクタなどを実装している。回路基板２の板厚は、例えば２．０ｍｍである。また、回路基板２は、ガラスエポキシ材や紙フェノール材などからなるので、その硬度が比較的低い。  
【００３３】
ケース３は、金属製例えばアルミ合金からなり、図１に示すように、１枚の平板を折り曲げて底板部５および一対の立上部６，６に形成し、一対の立上部６，６の長手方向の両端側６Ｃ，６Ｄに側板７を設けた箱体である。すなわち、底板部５は、矩形状である長方形状に形成され、一対の立上部６，６は、底板部５に対して直角に折り曲げられ、底板部５の長手方向に沿う両側に互いの内面６ｂ，６ｂが対向するように設けられている。  
【００３４】
そして、一対の立上部６，６には、図２に示すように、それぞれの両端側６Ｃ、６Ｄに突出部８および係止爪９がそれぞれ正対するようにして設けられている。突出部８は、立上部６の外面６ａに、長手方向に沿うとともに並設する細長い長方形のスリット１０，１０を例えば打ち抜きにより形成した後、スリット１０，１０間を型材により一対の立上部６，６の内側に押圧して形成したものである。突出部８は、一対の立上部６，６の内側に弧状に突出し、その上端面８ａに回路基板２が載置され、回路基板２の一方の面（下面）２ａを支持、係止する。  
【００３５】
係止爪９は、立上部６の外面６ａに、突出部８よりも上方側となるように例えば打ち抜きにより形成されたものである。そして、一対の立上部６，６の両端側６Ｃ，６Ｄの係止爪９，９は、それぞれ立上部６の長手方向に沿うとともに先端部９ｂが互いに向き合うように設けられている。  
【００３６】
また、係止爪９の下端面９ｃは、根元部９ａから先端部９ｂに向かうに従って底板部５の内面５ａ側から離間するように立上部６の長手方向に直線的に傾斜するように形成されている。ここで、下端面９ｃは、その根元部９ｃａが回路基板２の他方の面（上面）２ｂよりも下方となり
、その先端部９ｂａが回路基板２の他方の面（上面）２ｂよりも上方となるように、回路基板２の板厚に応じた傾斜面に形成されている。これにより、係止爪９を一対の立上部６，６の内側に折り曲げたときに、下端面９ｃが回路基板２の他方の面２ｂの縁部２ｂｂに当接可能となっている。そして、係止爪９の上端面９ｄは、底板部５と平行に形成されている。  
【００３７】
係止爪９の根元部９ｃを除く周辺には、開口１１が設けられている。これにより、係止爪９は、根元部９ａを折り曲げ軸として一対の立上部６，６の内側に折り曲げ可能となり、折り曲げ加工が容易となっている。  
【００３８】
回路基板２は、図１（ａ）に示すように、その幅Ｋ１が一対の立上部６，６の内面６ｂ，６ｂ間の間隔Ｋ２よりも例えば０．１〜０．５ｍｍ小さくなるように形成されている。ここで、回路基板２の幅Ｋ１が一対の立上部６，６の内面６ｂ，６ｂ間よりも０．１ｍｍ未満小さいと、回路基板２を一対の立上部６，６間に挿入しににくくなる。また、回路基板２の幅Ｋ１が一対の立上部６，６の内面６ｂ，６ｂ間よりも０．５ｍｍを超えて小さいと、係止爪９の全長（根元部９ａおよび先端部９ｂ間）を大きくする必要があり、または、係止爪９を一対の立上部６，６の内側に折り曲げる角度が大きくなる。  
【００３９】
そして、係止爪９は、図３（ａ）に示すように、その先端部９ｂの外面９ｂｂが立上部６の外面６ａよりも例えば０．３ｍｍとなるように一対の立上部６，６の内側に折り曲げられる。これにより、係止爪９の下端面９ｃが回路基板２の他方の面（上面）２ｂの縁部２ｂｂに当接する。また、係止爪９を一対の立上部６，６の内側に深く折り曲げると、図３（ｂ）に示すように、下端面６ｃを回路基板２の他方の面（上面）２ｂの縁部２ｂｂに縁部２ｂｂを削って当接させることができる。  
【００４０】
回路基板２は、突出部８および係止爪９に支持、係止されることにより、一対の立上部６，６の長手方向と直交する方向への移動が規制される。また、回路基板２は、ケース３の側板７，７により、一対の立上部６，６の長手方向への移動が規制される。  
【００４１】
そして、ケース３には、図４に示すように、ケース蓋体１２が被嵌されている。ケース蓋体１２は、設けなくてもよいものであるが、電源装置１を埃などが侵入しやすい場所に設置するときに有効である。  
【００４２】
ケース蓋体１２は、金属製例えばアルミニゥム（Ａｌ）板からなり、１枚の長方平板を折り曲げて、一対の側板部１３，１３およびこの側板部１３，１３に跨る天板部１４を有する長尺枠体に形成されている。側板部１３，１３および天板部１４には、図示しない通気用のスリットが適宜設けられている。そして、ケース蓋体１２は、一対の側板部１３，１３がケース３の一対の立上部６，６を挟持するようにして、ケース３に取り付けられている。  
【００４３】
次に、本発明の実施例１の作用について説明する。  
【００４４】
回路部品４が実装された回路基板２をケース３内に挿入し、回路基板２の一方の面（下面）２ａを突出部８に載置する。回路基板２は、ケース３の一対の立上部６，６の長手方向の両端側６Ｃ、６Ｄの４箇所で支持、係止される。そして、一対の立上部６，６の長手方向の両端側６Ｃ，６Ｄにそれぞれ設けた係止爪９を一対の立上部７，７の内側に折り曲げる。このとき、係止爪９の先端部９ｂの外面９ｂｂが立上部６の外面６ａよりも０．３ｍｍ以上となるように折り曲げる。これにより、係止爪９の下端面９ｃが回路基板２の他方の面（上面）２ｂの縁部２ｂｂに当接する。ここで、係止爪９の外面と立上部６の外面６ａとが成す角度が折り曲げ角度となっている。  
【００４５】
回路基板２は、その一方の面（下面）２ａが突出部８により支持、係止され、その他方の面（上面）２ｂに係止爪９が当接するので、回路基板２の長手方向と直交する方向(上下方向)の移動が規制される。また、ケース３の側板７，７が回路基板２の長手方向の移動を規制する。こうして、回路基板２は、一対の立上部６，６に設けた突出部８および係止爪９の簡素な構成で、一対の立上部６，６間に配設されて保持される。  
【００４６】
このように、回路基板２は、係止爪９を高精度な寸法や角度で折り曲げることを要せず、０．３ｍｍ以上一対の立上部６，６の内側に折り曲げれば、係止爪９の下端面９ｃが回路基板２の他方の面２ｂの縁部２ｂｂに当接して、突出部８および係止爪９に支持、係止することができる。  
【００４７】
そして、ケース３に振動が加わると、当該振動に応動して回路基板２が振動する。回路基板２は、ケース３の一対の立上部６,６間、側板７，７間および突出部８と係止爪９間でランダムに振れる。  
【００４８】
回路基板２は、その長手方向で一方または他方の立上部６側に振れると、立上部６の両端側６Ｃ，６Ｄのそれぞれの突出部８および係止爪９間に入り込み、その他方の面（上面）２ｂの縁部２ｂｂが係止爪９の下端面９ｃに食い込む。下端面９ｃは、根元部９ａから先端部９ｂに向かうにつれ底板部５から直線的に離間する傾斜面に形成されているので、回路基板２は、さらに下端面９ｃに沿ってかつ下端面９ｃに削られながら移動し、突出部８および係止爪９の下端面９ｃ間に食い込むようになる。これにより、回路基板２は、突出部８および係止爪９に挟持されて固定される。  
【００４９】
また、回路基板２の長手方向の一端側または他端側が立上部６側に振れると、回路基板２は、立上部６の一端側６Ｃまたは他端側６Ｄの突出部８および係止爪９間に入り込み、係止爪９の下端面９ｃに食い込む。ここで、立上部６に設けた係止爪９，９は、互いに向き合うように形成され、その下端面９ｃが上記傾斜面に形成されていて、回路基板２に対して互いに押し合うように作用するので、回路基板２は、さらに下端面９ｃに沿ってかつ下端面９ｃにより削られながら移動し、突出部８および係止爪９の下端面９ｃ間に食い込むようになる。これにより、回路基板２は、突出部８および係止爪９に挟持される。仮に、一対の立上部６，６において、それぞれ係止爪９，９が互いに反対を向くように形成されていると、傾斜面９ｃが上記傾斜面に形成されていることにより先端部９ｂ側が開放端となるので、回路基板２は、下端面９ｃにより削られながら根元部９ｂ側に入り込むよりも、ケース３の底板７側に移動しやすいものである。  
【００５０】
そして、係止爪９は、一対の立上部６，６の両端側６Ｃ，６Ｄにそれぞれ設けられているので、回路基板２は、ケース３の振動によりどの方向に振れても、突出部８および係止爪９の下端面９ｃの間に食い込み、挟持されて強固に固定される。  
【００５１】
上述したように、係止爪９の先端部９ｂが互いに向き合うように設けられ、係止爪９が回路基板２に対して互いに押し合うように作用し、ケース３が振動したときに回路基板２がどの方向に振れても突出部８および係止爪９の間に食い込んで固定されるので、ケース３の振動に応動した回路基板２のガタツキを抑制することができるとともに、突出部８および係止爪９の簡易な構成で回路基板２をケース３の一対の立上部６，６間に支持、係止することができる。  
【００５２】
また、係止爪９を、その先端部９ｂの外面９ｂｂがケース３の立上部６の外面６ａよりも０．３ｍｍ以上となる折り曲げ角度で一対の立上部６，６の内側に折り曲げることにより、回路基板２が突出部８および係止爪９により支持、係止されるので、係止爪９の寸法や折り曲げ角度の許容範囲を広くすることができるとともに、ケース３に振動が加わっても回路基板２が突出部８および係止爪９から取り外れることを防止することができる。
【実施例２】
【００５３】
図５は、本発明の実施例２を示す照明器具の概略横断面図である。なお、図１と同一部分には、同一符号を付して説明は省略する。  
【００５４】
図５に示す照明器具１６は、屋外に設置される防犯灯であり、図１に示す電源装置１、透光性の筒状カバー１７を取り付けている器具本体１８および照明負荷としての発光ダイオード１９を具備する発光ユニット２０を有して構成されている。  
【００５５】
器具本体１８は、アルミダイキャストからなり、その外周部が円筒形であり、その内側の輪郭も円形状に形成されている。そして、器具本体１８は、アーム２１にねじ等で着脱可能に取り付けられている。器具本体１８は、アーム２１によって、路面に設置された電柱等のポールに取り付けられている。  
【００５６】
筒状カバー１７は、アクリルやポリカーボネート樹脂等の透光性樹脂で一体成形され、その頂部２２が閉塞されており、その基端部２３側に開口部２４が形成されている。そして、基端部２３が器具本体１８の外周部に防水パッキン２５を介して取り付けられている。  
【００５７】
発光ユニット２０は、発光ダイオード１９を主面に実装している基板２６および基板２６の背面に密着して配設されたアルミニウム（Ａｌ）製の放熱板２７からなっている。放熱板２７は、筒状カバー１７の内側に形成された一対の溝部２８に挿入されて器具本体１８に固定されている。発光ダイオード１９は、基板２６の主面に複数個が実装され、可視光例えば白色光を放射する。  
【００５８】
そして、放熱板２７に電源装置１が配設されている。電源装置１は、器具本体１８に導入された電源線２９に接続されており、当該電源線２９から交流電圧を入力する。そして、回路部品４の動作によって、交流電圧を所定の直流電圧に変換して発光ダイオード１９に供給する。これにより、発光ダイオード１９は、所定の電流が流れて点灯する。なお、電源装置１は、ケース蓋体１２を具備せず、ケース３の底板部５が非放熱板側となるようにして放熱板２７に取り付けられている。  
【００５９】
照明器具１６は、回路基板２を簡素な構成で支持、係止し、振動によるガタツキを抑制することのできる電源装置１を具備するので、品質が向上されるとともに安価に形成することができる。
【産業上の利用可能性】
【００６０】
本発明は、照明負荷を点灯する点灯装置の他、制御機器またはモータやヒータなどの電気機器などに電力を供給する電源装置に利用することができる。
【符号の説明】
【００６１】
１…電源装置、  ２…回路基板、  ３…ケース、  ５…底板部、  ６，６…一対の立上部、  ８…突出部、  ９…係止爪、  １６…照明器具、  １８…器具本体、  １９…照明負荷としての発光ダイオード
【図１】
2011096887.tif 000003
【図２】
2011096887.tif 000004
【図３】
2011096887.tif 000005
【図４】
2011096887.tif 000006
【図５】
2011096887.tif 000007